(57)【要約】【課題】  印画紙の搬送系の改良によって良好な画質を得る露光ユニットを合理的に構成する。【解決手段】  印画紙Ｐを圧着して搬送する圧着状態と、圧着を解除する開放状態とに切り換え自在に構成された圧着搬送ローラＲ１、Ｒ２が、露光エンジン１７による露光位置Ｘを挟んで印画紙Ｐの搬送方向の上流側と下流側とに配置され、圧着搬送ローラＲ１、Ｒ２が、駆動回転する駆動ローラ４１、５１と、この駆動ローラ４１、５１に圧着して従動回転する圧着ローラ４２、５３とで構成され、駆動ローラ４１、５１の軸部４１Ａ、５１Ａを、印画紙Ｐを圧着した際における撓み量を０．００５ｍｍ未満となるよう構成した。【選択図】        図２
2005239330.tif 000002
【特許請求の範囲】
【請求項１】
感光材料を圧着して搬送する圧着状態と、圧着を解除する開放状態とに切り換え自在に構成された圧着搬送ローラが、露光エンジンによる露光位置を挟んで感光材料の搬送方向の上流側と下流側とに配置されると共に、前記圧着搬送ローラで副走査方向に搬送される露光位置の感光材料に対して前記露光エンジンが前記副走査方向と直交する姿勢となる主走査方向に沿ってライン状に露光を行うよう構成されている露光ユニットであって、
前記圧着搬送ローラが、駆動回転する駆動ローラと、この駆動ローラに対向する圧着ローラとで構成され、この駆動ローラが、軸部と、この軸部に外嵌するローラ部とで構成され、感光材料を圧着した際における前記軸部の撓み量が０．００５ｍｍ未満となるよう軸部を構成してある露光ユニット。
【請求項２】
前記軸部がステンレス材で構成され、前記ローラ部がアルミニウム材の表面にセラミック材を被覆して構成され、前記軸部の直径を２４ｍｍに設定し、前記ローラ部の直径を３０ｍｍに設定してある請求項１記載の露光ユニット。
【発明の詳細な説明】
【技術分野】
【０００１】
本発明は、感光材料を圧着して搬送する圧着状態と、圧着を解除する開放状態とに切り換え自在に構成された圧着搬送ローラが、露光エンジンによる露光位置を挟んで感光材料の搬送方向の上流側と下流側とに配置されると共に、前記圧着搬送ローラで副走査方向に搬送される露光位置の感光材料に対して前記露光エンジンが前記副走査方向と直交する姿勢となる主走査方向に沿ってライン状に露光を行うよう構成されている露光ユニットに関する。
【背景技術】
【０００２】
上記のように構成された露光ユニットと関連する技術として、特許文献１に示されるものが存在する。つまり、プリントサイズに切断された印画紙（本発明の感光材料）を露光用印画紙搬送装置において副搬送方向に搬送しながら露光ヘッド（本発明の露光エンジン）によって主走査方向に露光を行うよう構成され、この露光用印画紙搬送装置は露光ヘッドの上流側に位置する第１露光搬送ローラ（本発明の圧着搬送ローラ）と、露光ヘッドの下流側に位置する第２露光搬送ローラ（本発明の圧着搬送ローラ）とを備えると共に、この第１、第２露光搬送ローラはアルミニウム製のローラの表面にセラミックコーティングを施した駆動ローラと、ゴム等の弾性材料から成る圧着ローラとで構成されている。
【０００３】
この特許文献１では、露光を行う際に第１、第２露光搬送ローラを等しい速度で予め駆動しておき、第１露光搬送ローラを圧着解除位置に設定して印画紙の先端を受け入れ、この後に該第１露光搬送ローラを圧着位置に切り換えて第１露光搬送ローラでの搬送を行いながら露光ヘッドでの露光を開始する。このように露光を開始した際には第２露光搬送ローラが圧着解除位置に設定され、この第２露光搬送ローラで印画紙の先端を受け入れた後、圧着位置に切り換えることにより、第２露光搬送ローラでも印画紙の搬送を開始し、この後、第１露光搬送ローラを圧着解除位置に切り換えるように制御の順序が設定されている。
【０００４】
【特許文献１】特開２００２‐２３２７３号公報  （段落番号〔００２７〕〜〔００４２〕、図３）
【発明の開示】
【発明が解決しようとする課題】
【０００５】
プリントサイズに切断された印画紙（感光材料）をローラで副走査方向に搬送しながら、主走査方向に沿うライン状に露光を行うものでは、ローラで印画紙の搬送を開始する際に印画紙の先端とローラとの接触に起因する振動の発生を回避することによって搬送速度を乱さずに円滑な搬送を行うよう構成され、このように印画紙を円滑に搬送することが高品質の画像を得る点において重要であることが知られている。このような観点から特許文献１にも記載されるように、第１、第２露光搬送ローラ（本発明の圧着搬送ローラ）を等しい速度で予め駆動しておき、印画紙の先端を受け入れる際には第１、第２露光搬送ローラを圧着解除位置に設定し、印画紙を受け入れた後にローラを圧着位置に切り換える制御が行われていたのである。また、このような露光系で印画紙の搬送速度に乱れを発生した場合や、印画紙が振動した場合には、現像処理の後、印画紙の主走査方向に沿って帯状（バンド状）に濃度が異なる領域が現れる現象（バンディング）が発生してプリントの品質を低下させるものであった。
【０００６】
しかしながら、第１、第２露光搬送ローラを、印画紙の搬送速度と等しい速度となるよう精度高く速度調節を行い、駆動ローラに対して圧着ローラを圧着する際の衝撃を可能な限り低減してもバンディングが発生することもあった。
【０００７】
本発明の目的は、感光材料の搬送系の改良によってバンディングを抑制して良好な画質を得る露光ユニットを構成する点にある。
【課題を解決するための手段】
【０００８】
本発明の特徴は、感光材料を圧着して搬送する圧着状態と、圧着を解除する開放状態とに切り換え自在に構成された圧着搬送ローラが、露光エンジンによる露光位置を挟んで感光材料の搬送方向の上流側と下流側とに配置されると共に、前記圧着搬送ローラで副走査方向に搬送される露光位置の感光材料に対して前記露光エンジンが前記副走査方向と直交する姿勢となる主走査方向に沿ってライン状に露光を行うよう構成されている露光ユニットにおいて、
前記圧着搬送ローラが、駆動回転する駆動ローラと、この駆動ローラに対向する圧着ローラとで構成され、この駆動ローラが、軸部と、この軸部に外嵌するローラ部とで構成され、感光材料を圧着した際における前記軸部の撓み量が０．００５ｍｍ未満となるよう軸部を構成してある点にある。
【０００９】
バンディングの原因を究明するために様々な試験を行ったところ、第１、第２露光搬送ローラ（本発明の圧着搬送ローラ）で印画紙を圧着した際における駆動ローラの軸部の撓みが大きいものほど、バンディングが顕著に現れ、また、バンディングが発生するタイミングは印画紙を圧着した時点より、圧着を解除した時点で顕著であることが判明した。また、視認可能なバンディングを発生する際の軸部の撓み量は０．０１ｍｍ程度であることが明らかになり、軸部の撓み量を０．０１ｍｍ未満に抑制すること、好ましくは０．００５ｍｍ未満に抑制することがバンディングを確実に抑制することが明らかになった。このような理由から、駆動ローラと圧着ローラとで感光材料を圧着した際において、駆動ローラを構成する軸部の撓み量が０．００５ｍｍ未満とすることにより、バンディングの発生を抑制できるのである。その結果、感光材料の搬送系の改良によって良好な画質を得る露光ユニットが構成された。
【００１０】
本発明は、前記軸部がステンレス材で構成され、前記ローラ部がアルミニウム材の表面にセラミック材を被覆して構成され、前記軸部の直径を２４ｍｍに設定し、前記ローラ部の直径を３０ｍｍに設定しても良い。
【００１１】
この構成により、軸部の直径が大きくなり撓み量を減ずるばかりでなく、軸部の動慣性も大きくなるので、感光材料を圧着した際、及び、圧着を解除した際における駆動ローラの速度の乱れを低減し、振動の発生も低減して画質の低下を抑制する。
【発明を実施するための最良の形態】
【００１２】
以下、本発明の実施形態を図面に基づいて説明する。
図１に示すように、感光材料としての銀塩印画紙Ｐ（以下、印画紙Ｐと称する）に対して露光を行う露光ブロックＥｘと、このように露光された印画紙Ｐの現像処理を行う現像ブロックＤｅと、現像処理後の印画紙Ｐを乾燥する乾燥ブロックＤｒとを筐体１０に収納すると共に、筐体１０の外部には、処理の後に筐体１０の上部から水平方向に送り出される印画紙Ｐを搬送ベルト１１からソータ（図示せず）に送り、オーダ単位で仕分けて集積する写真プリント装置が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、露光ブロックＥｘにおいて、その画像情報を印画紙Ｐに露光してプリントできるよう構成されている。
【００１３】
前記露光ブロックＥｘは、２つの印画紙マガジンＭ、Ｍの一方に収納したロール状の印画紙Ｐを供給ユニットＵ１でプリントサイズに切断して上方に搬送し、この供給ユニットＵ１からの印画紙Ｐを露光ユニットＵ２において鉛直姿勢となる搬送経路を下方から上方に搬送しながら画像情報の露光を行い、この露光ユニットＵ２から上方に送られる印画紙Ｐを前部ローラユニットＵ３において搬送方向を水平方向に変換した後、振分ユニットＵ４で水平方向に送り、この後、後部ローラユニットＵ５から前記現像ブロックＤｅに受け渡すよう構成されている。
【００１４】
前記供給ユニットＵ１は、印画紙マガジンＭからの印画紙Ｐを搬送する複数の圧着ローラ１３と、印画紙Ｐをプリントサイズに切断するカッター１４と、印画紙Ｐを挟持して上方に移動するチャック機構１５とを備えている。前記露光ユニットＵ２は、搬送手段によって印画紙Ｐを下方から上方へ搬送しながら、その印画紙Ｐに対して露光を行うよう露光手段としてのレーザ走査型の露光エンジン１７を備えている。前記前部ローラユニットＵ３は、湾曲状の搬送経路において圧着状態（圧着位置）と開放状態（開放位置）とに切り換え自在に配置された複数の搬送ローラ１８を備えている。前記振分ユニットＵ４は、印画紙Ｐを挟持して２列の振り分け経路に振り分ける２つのチャッカーＣＨを備えている。前記後部ローラユニットＵ５は、振分ユニットＵ４で振り分けられた印画紙Ｐを２列の振り分け経路に沿って搬送する複数の圧着ローラ１９を備えている。
【００１５】
前記現像ブロックＤｅには、発色現像槽と漂白定着槽と安定槽とで成る複数の現像処理槽２０を備えると共に、夫々の現像処理槽に印画紙Ｐを供給するよう多数の圧着ローラを有した搬送ユニット２１を備えている。また、乾燥ブロックＤｒは印画紙に対してブロワー２２からの乾燥空気を供給する搬送経路を形成している。
【００１６】
このように構成された写真プリント装置は従来からのものと基本的に変わるものではなく、本発明では、露光ユニットＵ２における印画紙Ｐの搬送構造に特徴を有するものである。
【００１７】
前記露光ユニットＵ２は、図２〜図４に示すように、全体がアルミニウム等の金属材で形成された主フレームＦ１と、この主フレームＦ１に対して分離自在に支持され、全体がアルミニウム等の金属材で形成された可動フレームＦ２とを備え、主フレームＦ１と可動フレームＦ２との境界位置に印画紙Ｐを鉛直方向（副走査方向）に搬送する搬送経路が形成されている。また、この搬送経路に対して印画紙Ｐを副走査方向に搬送する搬送手段を備え、この搬送手段で露光位置Ｘに送り込まれた印画紙Ｐの感光面に対して前記露光エンジン１７からのレーザビームＬＢにより主走査方向にライン状となる露光が行われる。ちなみに、露光エンジン１７は、ケーシングの内部に収納したＲ（赤）、Ｇ（緑）、Ｂ（青）の三原色のレーザ光源からのレーザビームＬＢを音響光学式の変調手段によって光量を調節しながら縦軸芯で回転するポリゴンミラーのミラー面で反射させることにより主走査方向に走査する状態で前記露光位置Ｘに送り出す構造のものが使用されている。尚、露光ヘッドは、蛍光ビーム方式、液晶シャッター方式、ＤＭＤ方式等の使用が可能である。
【００１８】
前記主フレームＦ１に印画紙Ｐの搬送経路の側に印画紙Ｐの基材側に接触して案内するよう平坦に成型された基準プレート２５を備え、この基準プレート２５と対向する位置の前記可動部材Ｆ２に印画紙Ｐの感光面側を案内するガイド体Ｇを備えている、この可動フレームＦ２は下端部に形成した連結軸２６を主フレーム側の凹部２７に係入させ、上端を主フレームＦ１の側に引き寄せる形態でバックル等の保持機構（図示せず）で固定することで、基準プレート２５とガイド体Ｇとを対向する位置関係に保持するよう構成されている。尚、前記基準プレート２５は、前記主フレームＦ１に対してボルト等で固定する構造のものでも、主フレームＦ１に対して一体的に形成された構造のものでも良く、印画紙Ｐに接触する側の案内面２５Ｓが光線の反射を防止するため黒色に着色されている。
【００１９】
前記ガイド体Ｇは、印画紙Ｐの搬送方向で露光位置より上流側に配置された前部ガイド体３１と、露光位置Ｘより下流側に配置された後部ガイド体３３とで構成されている。この前部ガイド体３１と基準プレート２５との間隔を０．８ｍｍ程度に設定し、後部ガイド体３３と基準プレート２５との間隔を０．４ｍｍ程度に設定している。尚、印画紙Ｐの厚さは０．２ｍｍ程度である。
【００２０】
前記主フレームＦ１の下部位置に前記チャック機構１５からの印画紙Ｐを受け取る圧着型の導入ローラＲ０を備えている。この導入ローラＲ０は駆動回転する前部駆動ローラ３５と、この前部駆動ローラ３５に対して圧着する圧着位置、及び、離間する開放位置に切換え自在な前部圧着ローラ３６とで構成され、前部駆動ローラ３５に対してステッピングモータ型の導入モータ３７の駆動力が減速機構３８を介して伝えられる。
【００２１】
前記前部駆動ローラ３５は、軸部３５Ａに対してアルミニウム等の金属のローラ部３５Ｂを外嵌固定した構造を有し、これに圧着する圧着ローラ３６は、軸体３６Ａに対してゴムや柔軟な樹脂で成るローラ部３６Ｂを形成した構造を有し、この圧着ローラ３６は、支軸３９Ａ周りで揺動するアーム３９の揺動端に支承され、アクチュエータ４０の作動により前記圧着位置と開放位置とに切換え自在に構成されている。
【００２２】
前記搬送手段は、前記導入ローラＲ０からの印画紙Ｐを露光位置Ｘに送り込むよう、この露光位置Ｘより上流側に配置された第１圧着搬送ローラＲ１と、第１圧着搬送ローラＲ１からの印画紙を上方に送るよう露光位置より下流側に配置された第２圧着搬送ローラＲ２とで構成されている。前記第１圧着搬送ローラＲ１は、駆動ローラ４１と、この駆動ローラ４１に圧着することにより回転する圧着ローラ４２とで構成され、前記第２圧着搬送ローラＲ２は、駆動ローラ５１と、この駆動ローラ５１に圧着することにより回転する圧着ローラ５２とで構成されている。
【００２３】
前記夫々の駆動ローラ４１、５１は、ステンレス材で成る軸部４１Ａ、５１Ａに対して軸芯の沿う方向で複数のローラ部４１Ｂ、５１Ｂを外嵌固定した構造を有し、このローラ部４１Ｂ、５１Ｂはアルミニウム等の金属材の外周面にセラミック材をコーティングして構成され、軸部４１Ａ、５１Ａは主フレームＦ１に対して支承されている。また、このローラ部４１Ｂ、５１Ｂを収容する開口を前記基準プレート２５に形成し、かつ、このローラ部４１Ｂ、５１Ｂの外周部が前記開口を介して基準プレート２５の案内面２５Ｓから搬送経路側に僅かに突出する位置関係となるよう該駆動ローラ４１、５１が支承されている。
【００２４】
前記主フレームＦ１の側にステッピングモータ型の搬送モータ６０を備え、この搬送モータ６０からの駆動力を第１無端ベルト６１、及び、第２無端ベルト６２で成る減速伝動系を介して駆動ローラ４１、５１に伝える伝動系が形成されている。
【００２５】
前記導入モータ３７の駆動軸、及び、前記搬送モータ６０の駆動軸には温度依存性のないロータリダンパＲＤを備えている。このロータリダンパＲＤは、柔軟な樹脂の外周に金属製のリングを固定することにより回転ムラを吸収するよう機能するものであり、温度依存性のないものを用いることにより環境の温度の影響を受けずに円滑な回転動力を取り出せるようにしている。
【００２６】
前述したように駆動ローラ４１、５１の軸部４１Ａ、５１Ａｂをステンレス材で形成し、この軸部４１Ａ、５１Ａの直径の値を後述する値に設定することにより、印画紙Ｐを圧着した際において軸部４１Ａ、５１Ａの撓みを抑制するよう構成している。尚、この軸部４１Ａ、５１Ａｂの素材はステンレス材に限るものではなく鋼材であっても良い。
【００２７】
前記夫々の圧着ローラ４２、５２は、軸体４２Ａ、５２Ａに対して軸芯に沿う方向で複数のローラ部４２Ｂ、５２Ｂを形成した構造を有し、この複数のローラ部４２Ｂ、５２Ｂは、前記駆動ローラ４１、５１の複数のローラ部４１Ｂ、５１Ｂと対向する位置に配置されている。また、軸体４２Ａ、５２Ａに棒状のチタン材を用い（軽量化を図るためにチタン材や軽金属で成るパイプ材を用いても良い）、ローラ部４２Ｂ、５２Ｂに硬度３０度の発泡ゴムを用いることによって軽量化を図ており、従来構造では３００グラム程度であった圧着ローラ４２、５２の重量を１５０グラム程度まで軽量化している。
【００２８】
前記可動フレームＦ２に対して圧着ローラ４２、５２の軸体４２Ａ、５２Ａと平行する姿勢となる一対の操作軸４３、５３を回転自在に支承すると共に、この操作軸４３、５３と一体的に揺動するアーム４４、５４の揺動端に前記圧着ローラ４２、５３の軸体４２Ａ、５２Ａを遊転支承してあり、この構造から操作軸４３、５３の軸芯周りでの回動作動によって圧着ローラ４２、５２を駆動ローラ４１、５１に圧着する圧着位置と、駆動ローラ４１、５１から離間する開放位置との切換え自在に構成されている。そして、図面には示さないが、夫々の圧着ローラ４２、５２を圧着位置に付勢するバネ等の付勢手段（図示せず）を備えている。
【００２９】
前記夫々の操作軸４３、５３の端部に固設したクランク部材４５、５５の揺動端にローラ型のカムフォロア４６、５６を遊転支承し、夫々のカムフォロア４６、５６に接当する回転カム４７、５７を前記主フレームＦ１に支持し、夫々の回転カム４７、５７に対してステッピングモータ型のカムモータ４８、５８からの駆動力をベルト伝動機構４９、５９を介して回転操作するカム操作系を形成している。尚、前記カムフォロア４６、５６の軸芯位置は前記圧着ローラ４２、５２の軸芯上に配置され、主フレームＦ１から可動フレームＦ２を分離した場合には、カムフォロア４６、５６と、回転カム４７、５７とが分離する形態となる。
【００３０】
前記前部ガイド体３１と、後部ガイド体３３とは、アルミニウムやステンレス等の板状の素材に対して前記圧着ローラ４２、５２のローラ部が挿通する開口を形成してあり、前部ガイド体３１の下流側の端部と、後部ガイド体３３の上流側の端部とを露光位置Ｘを挟んで近接する位置関係に配置してある。更に、前部ガイド体３１は印画紙Ｐの搬送方向の上流側の端部を基準プレート２５から離間する側に緩やかに屈曲させてあり、後部ガイド体３３は、印画紙Ｐの搬送方向の上流側の端部と開口の上流側の端部側とを基準プレート２５から離間する方向に緩やかに屈曲させることにより印画紙Ｐを円滑に搬送できるよう構成している。
【００３１】
制御系は示さないが、この露光ユニットＵ２では、以下の制御に従って印画紙Ｐの搬送が行われる。つまり、図５に示すように、供給ユニットＵ１のチャック機構１５で挟持された印画紙Ｐを受け入れる際には、導入ローラＲ０の前部圧着ローラ３６を開放位置に設定しておき、チャック機構１５のチャック部材１５ａ、１５ａで挟持された印画紙Ｐの先端部を挿入する形態での導入を許す（ａ）。次に、この前部圧着ローラ３６を圧着位置に設定することにより前部駆動ローラ３５と、この前部圧着ローラ３６とで印画紙Ｐを圧着した後に、チャック機構１５のチャック部材１５ａ、１５ａによる挟持が解除され、この挟持が解除された後に導入ローラＲ０を駆動して搬送が開始される（ｂ）。この搬送を継続することにより印画紙Ｐは、その基材の側が基準プレート２５に接触して案内されると同時に、その感光面の側が前部ガイド体３１に案内されるものとなり、このように基準プレート２５と前部ガイド体３１とで案内される状態で印画紙Ｐが第１圧着ローラＲ１の側に送られる。
【００３２】
第１、第２圧着ローラＲ１、Ｒ２の駆動ローラ４１、５１は印画紙Ｐの有無に拘わらず駆動状態にあり、また、導入ローラＲ０で印画紙Ｐの搬送を開始した後には、印画紙Ｐの先端部が前記第１圧着ローラＲ１の部位に達する以前に、前記第１圧着ローラＲ１の圧着ローラ４２を開放位置にセットする（ｃ）。そして、この第１圧着ローラＲ１で搬送が可能な位置に印画紙Ｐの先端が達すると、圧着ローラ４２を圧着位置にセットすることにより、この第１圧着ローラＲ１の駆動ローラ４１と圧着ローラ４２とで印画紙Ｐを圧着して搬送を開始し、このように第１圧着ローラＲ１による搬送を開始した後には、導入ローラＲ０の前部圧着ローラ３６を開放位置にセットすることにより、印画紙Ｐに対して導入ローラＲ０の側から外力を作用させないようにする（ｄ）。
【００３３】
次に、印画紙Ｐに対する露光が開始された印画紙Ｐの先端が送られる以前に前記第２圧着ローラＲ２の圧着ローラ５２を開放位置にセットし（ｅ）、この第２圧着ローラＲ２の部位に印画紙Ｐの先端が達したタイミングで圧着ローラ５２を圧着位置にセットすることにより、この第２圧着ローラＲ２の駆動ローラ５１と圧着ローラ２２とで印画紙Ｐを圧着して搬送を開始し、このように第２圧着ローラＲ２で印画紙Ｐの搬送を開始した後には、適当なタイミングで第１圧着ローラＲ１の圧着ローラ４２を開放位置に切り換えることにより、第１圧着ローラＲ１の側からの外力を作用させない状態で第２圧着ローラＲ２の搬送力のみによって印画紙Ｐの搬送が行われるのである（ｆ）。
【００３４】
これらの作動は、前記導入ローラＲ０を構成する前部圧着ローラ３６のアクチュエータ３９の制御、前部駆動ローラ３５を駆動する導入モータ３７の制御、前記第１、第２圧着ローラＲ１、Ｒ２を構成する圧着ローラ４２、５２の姿勢を決める回転カム４７、５７を回転操作するカムモータ４８、５８の制御によって実現する。
【００３５】
本発明の露光ユニットＵ２では、前記第１、第２圧着搬送ローラＲ１、Ｒ２の駆動ローラ４１、５１におけるローラ部４１Ｂ、５１Ｂの直径は３０ｍｍ程度であるが、図４に示すように、軸部４１Ａ、５１Ａの直径Ｄ１、Ｄ２（Ｄ１＝Ｄ２）を２４ｍｍに設定することにより、印画紙Ｐを圧着した際の撓み量が０．００５ｍｍ未満になるよう構成してある。また、前記導入ローラＲ０の前部駆動ローラ３５におけるローラ部３５Ｂの直径は２４ｍｍ程度であるが、軸体３５Ａの直径Ｄ０を１４ｍｍに設定することにより、印画紙Ｐを圧着した際の撓み量が０．００５ｍｍ未満になるように構成してある。
【００３６】
つまり、前記第１、第２圧着搬送ローラＲ１、Ｒ２で印画紙Ｐを圧着した際には１９．６Ｎ程度の力を作用させ、導入ローラＲ０で印画紙Ｐを圧着した際には、９．８Ｎ程度の力を作用させるよう圧着ローラ４２、５２、３６による圧着力を設定しており、このような値の力を作用させた際に軸部４１Ａ、５１Ａの長さ方向での中央位置の撓み量が０．００５ｍｍ未満であり、軸体３５Ａの長さ方向での中央位置の撓み量が０．００５ｍｍ未満であるように構成している。この構成によりバンディングを抑制しているのである。
【００３７】
このように、本発明の露光ユニットＵ２では、第１、第２圧着搬送ローラＲ１、Ｒ２の駆動ローラ４１、５１における軸部４１Ａ、５１Ａの直径Ｄ１、Ｄ２を２４ｍｍに設定し、導入ローラＲ０の前部駆動ローラ３５における軸体３５Ａの直径Ｄ０を１４ｍｍに設定することにより、印画紙Ｐの圧着時における夫々の撓み量を０．００５ｍｍ未満に維持することを実現している。このように撓み量を低減することによって、印画紙Ｐを圧着して搬送する際の搬送速度の乱れを抑制し、しかも、圧着状態を解除した際に印画紙Ｐに作用する振動を抑制して良好な画質のプリントを得るものにしている。特に、本発明によると、軸部４１Ａ、５１Ａが大径化することによって、第１、第２圧着搬送ローラＲ１、Ｒ２の動慣性を大きくするので、これによっても印画紙Ｐを圧着した際、及び、圧着を解除した際にも安定的に第１、第２圧着搬送ローラＲ１、Ｒ２を回転させて良好な画質のプリントを得るものにしているのである。
【図面の簡単な説明】
【００３８】
【図１】写真プリント装置の縦断側面図
【図２】露光ユニットの印画紙搬送経路の縦断側面図
【図３】駆動ローラと従動ローラとの位置関係及び作動構造を示す斜視図
【図４】駆動ローラと従動ローラと基準プレートとの位置関係を示す断面図
【図５】露光ユニットの搬送経路に対する印画紙の搬送順序を示す模式図
【符号の説明】
【００３９】
１７            露光エンジン
４１、５１      駆動ローラ
４２、５２      圧着ローラ
４１Ａ、５１Ａ  軸部
４１Ｂ、５１Ｂ  ローラ部
Ｐ              感光材料
Ｒ１、Ｒ２      圧着搬送ローラ
Ｘ              露光位置
【図１】
2005239330.tif 000003
【図２】
2005239330.tif 000004
【図３】
2005239330.tif 000005
【図４】
2005239330.tif 000006
【図５】
2005239330.tif 000007